(57)【特許請求の範囲】
【請求項１】
生理用タンポンの身体への装着方法を説明するための模型であって、
前記模型は、前記生理用タンポンが装着される女性の陰部を模しており、前記生理用タンポンが着脱可能な模型本体と、当該模型本体に設けられ、前記生理用タンポンが前記模型本体に適切に挿入された場合に、前記生理用タンポンの前記模型本体側における先端部の到達位置を表示する装着位置表示部と、前記模型本体を固定する固定台とを備え、
前記模型本体は、半月状の子宮形成部材と、前記子宮形成部材の弧の中央から前記生理用タンポンの直径よりも狭い間隔を隔てて配置された一対の膣形成部材と、前記一対の膣形成部材及び当該一対の膣形成部材の間に形成される膣において前記膣形成部材を介して前記固定台側と対向するように配置された透明な被覆部とを備え、
前記固定台は、前記模型本体の長手方向と平行な折り畳み線を備えることを特徴とする模型。
【請求項２】
前記模型本体は、前記身体の前記生理用タンポンが装着される部分を簡略的に表現したものである請求項１に記載の模型。
【請求項３】
前記模型本体は、前記身体の前記生理用タンポンが装着される部分の断面を模したものである請求項１または２に記載の模型。
【請求項４】
前記模型本体は、前記生理用タンポンの装着方向の断面を模したものである請求項１から３のいずれかに記載の模型。
【請求項５】
前記模型本体は、前記生理用タンポンの装着方向を示した装着方向表示部を有する請求項１から４のいずれかに記載の模型。
【請求項６】
前記模型本体は、前記身体の股の間において、前記身体の前記生理用タンポンが装着される部分の向きと、前記模型本体の前記生理用タンポンが装着される部分の向きとが同一方向となるように配置可能とされる請求項１から５いずれかに記載の模型。
【請求項７】
前記模型本体は、弾力性および摩擦抵抗性を有する弾性素材からなる請求項１から６のいずれかに記載の模型。
【請求項８】
生理用タンポンの装着方法を説明するための模型と、この模型に装着される生理用タンポンと、からなる説明用具であって、
前記模型は、前記生理用タンポンが装着される女性の陰部を模しており、前記生理用タンポンが着脱可能な模型本体と、当該模型本体に設けられ、前記生理用タンポンが模型本体に適切に挿入された場合に、前記生理用タンポンの前記模型本体側における先端部の到達位置を表示する装着位置表示部と、前記模型本体を固定する固定台と、を備え、
前記模型本体は、半月状の子宮形成部材と、前記子宮形成部材の弧の中央から前記生理用タンポンの直径よりも狭い間隔を隔てて配置された一対の膣形成部材と、前記一対の膣形成部材及び当該一対の膣形成部材の間に形成される膣において前記膣形成部材を介して前記固定台側と対向するように配置された透明な被覆部とを備え、
前記固定台は、前記模型本体の長手方向と平行な折り畳み線を備えることを特徴とする説明用具。
【発明の詳細な説明】
【技術分野】
【０００１】
本発明は、模型およびこの模型を用いた説明用具に関し、特に衛生用品を使用する際にその装着方法を練習することが可能である模型およびこの模型を用いた説明用具に関する。
【背景技術】
【０００２】
生理用品や避妊具などの衛生用品の使用方法は、その装着手順を衛生用品の外装に記述するかまたは、装着手順を書いた紙を説明書として衛生用品に同封していた。また、極く稀な例として、学校教育の一環として教師あるいは保健婦等の指導者が児童等に対してこれらの使用方法を模型やイラスト等を用いて行っていた。また、近年では衛生用品の装着状態をより詳しく対象者に理解させることを目的として、衛生用品そのものを展示した模型がある（特許文献１参照）。
【０００３】
上記の説明書は、文章とイラストを交えて手順毎に詳細に説明することで対象者の理解を促すことができる。また、説明書として衛生用品に同封または、装着手順を衛生用品の外装に記述しているため、製造コストを抑えることができる。また、学校教育の指導においては、模型やイラスト等を用いて指導者が説明することによって、より詳細に装着手順を習得することが可能となる。また、特許文献１に記載の模型は、生理用ナプキンをかたどった透明容器に生理用品を収納した模型である。透明容器は、生理用ナプキンの身体と接触する面の形状に追従させているため、対象者は、その生理用ナプキンを装着したときの装着状態を容易に理解することが可能となる。
【特許文献１】特開２００３−８１３３３号公報
【発明の開示】
【発明が解決しようとする課題】
【０００４】
しかしながら、上記の説明書だけでは、装着の仕方を実行可能な程度に理解できない対象者が多く、装着する時の感触を対象者に伝えることもできない。また、学校教育の指導においては、指導者の指導方法によって理解度に差が生じてしまう。更に、対象者が生徒や児童に限られてしまう。また、特許文献１に記載の模型は、生理用品を収納した容器を展示しているにすぎないため、説明書と同様に衛生用品を装着するときの感触を対象者に伝えることはできないし、衛生用品を装着する手順を対象者に理解させるものでもない。
【０００５】
衛生用品の中でも身体の内部に装着するもの、例えば、タンポンのようなものに関しては、イラストや文章を用いてもタンポンを入れたときの身体の状態、このとき手に伝わる感触、およびタンポンの構造等を対象者に伝えることは困難であり、従って挿入手順の理解度が向上することにもならない。その結果、タンポンの使用に関しては未だに多くの人が不安や疑問を抱いている。
【０００６】
本発明は、以上のような課題に鑑みてなされたものであり、その目的は、衛生用品を装着するときの装着方法と感触およびその装着状態を対象者に伝えることが可能な模型およびこの模型を用いた説明用具を提供することにある。
【課題を解決するための手段】
【０００７】
本発明は具体的に以下のようなものを提供する。
【０００８】
（１）  衛生用品の身体への装着方法を説明するための模型であって、前記模型は、前記身体の衛生用品が装着される部分を模しており、前記衛生用品が着脱可能な程度に略原寸大である模型本体を備えることを特徴とする模型。
【０００９】
（１）の発明によれば、衛生用品の身体への装着方法を説明するために模型を用いることによって、文章やイラストで説明するよりも詳細に装着方法を説明することが可能となる。ここで「衛生用品」とは、タンポン、陰唇間パッド等の生理用品またはコンドーム、女性用避妊具等をいう。陰唇間パッドとは、女性の陰唇の内側に挟み込んで経血を吸収するパッドのことをいう。これら衛生用品の種類は特に問わないが、対象者の体の内部に装着するタンポンまたは女性用避妊具であることが好ましい。
【００１０】
「模型本体」とは、衛生用品の装着対象となる男性または女性の陰部を模したものをいう。模型の寸法は、衛生用品が無理なく装着することが可能であれば特に問わないが、１０代から５０代の男性または女性の陰部の平均値であることが好ましく、２０代から４０代の男性または女性の陰部の平均値であることがさらに好ましい。また、この「模型本体」は、実際の陰部に似せて作成してもよいが、対象者の嫌悪感を取り除くために衛生用品の装着方法を説明するために必要な部材のみを用いて陰部を簡略的に模したものであることが好ましく、対象者に安心感を与えるために明るく淡い色彩で彩色してもよい。また、対象者が衛生用品の装着手順の全てを観察できるように模型本体は、衛生用品が装着される部分の断面を模したものであることが好ましく、衛生用品の装着方向の断面を模したものであることがさらに好ましい。また、模型本体は、身体全体ではなく、衛生用品が装着される部分のみを模しているため、軽量であり持ち運びに便利である。更に模型本体を、衛生用品が着脱可能な程度に略原寸大にすることによって、対象者が実際に衛生用品を装着するときの状態を想像することが容易になる。
【００１１】
（２）  前記模型は、前記模型本体を固定する固定台を備える（１）に記載の模型。
【００１２】
（２）の発明によれば、模型本体に固定台を備えることによって、模型本体の安定性を高めることが可能となる。また、この固定台は、模型本体を包み込むようにして折り畳み可能であってもよい。更に「装着される部分を模した模型」とは、衛生用品が装着される部分を模した模型本体と、この模型本体を固定する固定台と、を備えたものをいう。
【００１３】
（３）  前記模型本体は、前記身体の衛生用品が装着される部分を簡略的に表現したものである（１）または（２）に記載の模型。
【００１４】
（３）の発明によれば、衛生用品が装着される部分を「簡略的に表現」することによって、模型本体に対して対象者が抱く嫌悪感を取り除くことが可能となる。その結果、対象者が安心して模型を用いて衛生用品の装着方法を学習することができる。
【００１５】
（４）  前記模型本体は、前記身体の衛生用品が装着される部分の断面を模したものである（１）から（３）いずれかに記載の模型。
【００１６】
（４）の発明によれば、模型本体を、衛生用品が装着される部分の断面を模したものとすることによって、例えば、陰唇間パッドのような陰唇の内側にはめ込んで装着される衛生用品の装着状態が視認可能となる。この場合「断面」とは身体に対して、縦断面であっても横断面であってもよい。例えば、陰唇の縦断面の場合は、陰唇間パッドが陰唇に挿入され、装着されていく様子が視認可能となる。また、陰唇の横断面の場合は、陰唇間パッドを陰唇のどの位置に挿入すればよいのかを確認することが可能となる。
【００１７】
（５）  前記模型本体は、前記衛生用品の装着方向の断面を模したものである（１）から（４）のいずれかに記載の模型。
【００１８】
（５）の発明によれば、模型本体を、衛生用品が装着される方向の断面を模したものとすることによって、例えば、タンポンのように身体の内部に衛生用品が挿入される衛生用品の装着状態が視認可能となる。「衛生用品が装着される方向の断面」とは、タンポンを膣内に挿入する方向に対する断面をいい、タンポンが膣内の適切な位置に挿入されていく過程を確認することが可能となる。
【００１９】
（６）  前記模型本体は、前記衛生用品の装着方向を示した装着方向表示部および／または装着位置を示した装着位置表示部を有する（１）から（５）のいずれかに記載の模型。
【００２０】
（６）の発明によれば、模型本体に「装着方向表示部」を設けることによって、衛生用品の装着方向が分からない対象者でも容易に衛生用品を模型本体に装着させることが可能となる。更に、模型本体に「装着位置表示部」を設けることによって、衛生用品の正しい装着位置を対象者が習得することが可能となる。また、これらの表示を模型本体に設けることによって、模型本体に対して対象者が抱く嫌悪感を取り除き、対象者がより安心して模型を用いて衛生用品の装着方法を学習することが可能となる。
【００２１】
（７）  前記模型本体は、前記衛生用品を装着するときの身体の向きと同一方向に配置される（１）から（６）いずれかに記載の模型。
【００２２】
（７）の発明によれば、模型本体を「衛生用品を装着するときの身体の向きと同一方向に配置」することによって、対象者が衛生用品を実際に装着する場合を想像することがさらに容易になる。また、そのときの手の動かし方などを擬似的に体験することが可能となる。
【００２３】
（８）  前記模型本体は、弾力性および摩擦抵抗性を有する弾性素材からなる（１）から（７）のいずれかに記載の模型。
【００２４】
（８）の発明によれば、模型本体が弾力性および摩擦抵抗性を備える。「弾力性および摩擦抵抗性を有する弾性素材」とは、ウレタンフォーム、弾力性を有する各種合成樹脂発泡体やシリコン、ゴム等をいい、これらのいずれかの素材からなることが好ましい。これによって対象者が衛生用品を実際に装着したときに手に伝わる感触や抵抗を再現することが可能となる。
【００２５】
（９）  衛生用品の装着方法を説明するための模型と、この模型に装着される衛生用品と、からなる説明用具であって、前記模型は、前記身体の衛生用品が装着される部分を模しており、前記衛生用品が着脱可能な程度に略原寸大である模型本体と、この模型本体を固定する固定台と、を備えることを特徴とする説明用具。
【００２６】
（９）の発明によれば、衛生用品の身体への装着方法を説明するために模型および衛生用品を用いることによって、文章やイラストで説明するよりもより詳細に装着方法を説明することが可能となる。また、模型は軽量であるため、衛生用品の取扱説明書とすることが可能であり、また、学校教育の教材として用いる事も可能である。
【００２７】
（１０）  前記衛生用品は、生理用品または避妊具を含む（９）に記載の説明用具。
【００２８】
（１０）の発明によれば、衛生用品を生理用品または避妊具にすることによって、他人には恥ずかしくて聞くことができなかった疑問や不安等を自分で解決することが可能となる。特に衛生用品が避妊具である場合においては、女性が男性用のコンドームの装着方法を習得することが可能となる。
【発明の効果】
【００２９】
以上説明したように本発明は、衛生用品の装着方法を説明するための模型と、この模型に装着される衛生用品と、からなる説明用具であって、前記模型は、前記身体の衛生用品が装着される部分を模しており、前記衛生用品が着脱可能な程度に略原寸大である模型本体と、この模型本体を固定する固定台と、を備えた。その結果、対象者の衛生用品に対する不安感を取り除くことが可能となり、正しい装着位置および装着方法を習得することが可能となる。また本発明は特に、体内に装着する衛生用品の装着方法を説明する説明用具として特に有用である。
【００３０】
更にまた本発明は、身体の一部を模したものであるため、個々に配布することが可能である。そのため学校教育の指導において有用である。
【発明を実施するための最良の形態】
【００３１】
以下、本発明をより詳しく説明する。
【００３２】
［第１実施形態］
本発明の第１実施形態の模型は、衛生用品がタンポンである場合における模型を示す。本発明におけるタンポンとは、経血を吸収し保持するためのタンポン吸収体と、この吸収体を膣内に送り込むアプリケーターと、を備えたものをいう。なお、タンポン吸収体の一方にはこれを取り出すための紐が設けられている。また、アプリケーターとは、タンポンを収納するための収納部と、タンポンを押し出すための押し出し部と、を備えたものをいう。
【００３３】
図１は、衛生用品の装着方向の断面を模した模型本体１０の正面図を示したものである。模型本体１０の素材はウレタンフォームであり、一対の膣形成部材１２Ａ、１２Ｂと、子宮形成部材１４と、から構成され、固定台に固定されている（固定台については後述する）。半月状の子宮形成部材１４の弧の中央から互いに隣接して膣形成部材１２Ａ、１２Ｂが配置されている。膣形成部材１２Ａ、１２Ｂの先端側は、膣口２２を形成し、また２つの膣形成部材１２Ａ、１２Ｂの境界に隣接する部分で膣２４を形成し、半月状の子宮形成部材１４は子宮を表現している。なお、膣形成部材１２Ａ、１２Ｂは互いに離れて設置されていてもよいが、タンポン吸収体の直径より広く設置されることはない。
【００３４】
膣２４の長さＬ１は、実際に使うタンポンと同じサイズのものが挿入可能な寸法を想定して１１０ｍｍであり、模型本体１０の幅Ｗを６０ｍｍである。なお、膣２４の長さＬ１は、Ｌ１は５０〜１５０ｍｍであることが好ましく、６０〜１１０ｍｍが更に好ましい。また、模型本体１０の幅Ｗは、タンポンが挿入できればよく特に限定しないが、股間のイメージを付与するため股間幅に近い２０〜１２０ｍｍであることが好ましく、５０〜１００ｍｍであることが更に好ましい。
【００３５】
次に、適切な装着位置が表示された模型本体１０を示す。図２は、模型本体１０の膣形成部材１２Ａ、１２Ｂおよび子宮形成部材１４に着色し、違和感を感じ易い装着不適切位置表示部３２と、感じ難い装着適切位置表示部３４と、タンポンの装着方向や装着位置を示す装着方向表示部３６と、装着位置表示部３８と、を設けたものである。装着適切位置表示部３４の長さＬ２は４０ｍｍである。膣形成部材１２Ａ、１２Ｂは、膣口２２を形成していることがより明確になるようにその先端を半月状にくり抜いた。なお、装着適切位置表示部３４の長さＬ２は、膣口２２から２０〜５０ｍｍであることが好ましい。２０〜５０ｍｍより子宮に近い部分は違和感を感じ難くタンポン吸収体が存在するのに適した位置だからである。
【００３６】
次に、模型本体１０の断面の一部を示す。図３は、図１の模型本体１０のＡ−Ａ´線で切断した時の断面を示したものである。模型本体１０の高さＨは、挿入しているアプリケーターおよびタンポン吸収体が見える位置である１０ｍｍである。なお、模型本体１０の高さＨは、タンポン吸収体が保持されるように５ｍｍ以上３０ｍｍ以下であることが好ましく、５ｍｍ以上１５ｍｍ以下がさらに好ましいが、使用されるタンポンの太さによって調整してもよい。膣形成部材１２Ａ、１２Ｂの境界部分の一部をくり抜いて、膣腔部２５を形成するのであるが、この膣腔部２５の幅は均一であってもよいが、幅を変えて、アプリケーターおよびタンポン吸収体を挿入するときの抵抗感を再現していることが好ましい。
【００３７】
次に、模型本体１０の断面の一部を示す。図４は、図１の模型本体１０のＢ−Ｂ´線で切断した時の断面を示したものである。膣口２２から１０〜２０ｍｍは括約筋が発達しているため、膣口２２から１５ｍｍにくり抜かない部分を設けた。なお、膣形成部材１２Ａ、１２Ｂの先端から１０〜２０ｍｍくり抜かない部分、或いは膣腔部２５よりも狭くくり抜いた部分を設け、対象者が実際に体験する身体の抵抗を再現することが好ましい。
【００３８】
次に模型本体１０が２種以上の素材から構成されている場合を示す。図５に示すように、膣形成部材１２Ａ、１２Ｂの膣２４を構成している部分、即ち、膣壁構築部分１３にはゴムを貼って摩擦抵抗性を高めたものである。
【００３９】
また、図６は、膣２４および膣形成部材１２Ａ、１２Ｂの上に透明ビニールシートで被覆した被覆部１５を設けたものである。なお、被覆部１５は、透明シリコン等透明性を有する素材で被覆してもよい。また、膣２４に入っていくタンポンが見えるように模型本体１０を半透明または透明性を有する素材で構成してもよい。例えば半透明の発泡体、透明シリコン、透明ビニールシートに膣道を成型したものに透明ゲルや水を充填したもの、密度の低い網目構造の素材等があり、これらのいずれかを組み合わせて用いてもよい。
【００４０】
次に、模型本体１０が固定台に固定された状態を示す。図７は、ボール紙からなる平板上の固定台１８の略中央部に模型本体１０が接着剤で固定されている場合を示している。固定台１８の長手方向の寸法は、２０ｃｍであり、短手方向の寸法は、１６ｃｍである。対象者は、子宮形成部材１４を身体側に向け、固定台１８の上に腕を置いてタンポンの挿入操作を行う。なお、平板状の固定台１８の形状および寸法は、特に限定されないが長手方向が３０ｃｍから１５ｃｍ、短手方向が２５ｃｍから１０ｃｍであることが好ましい。模型本体１０を固定する手段はテープを用いても、スリットを設けて埋め込んでもよい。
【００４１】
次に、固定台に操作手順や注意事項が記載されたものを示す。図８は、模型本体１０が固定台１８の略中央部に配置され、その両側に注意事項や操作手順が記載されたものである。なお、模型本体１０の長手方向と平行に折り畳み線を設けてもよい。
【００４２】
なお、固定台１８は、図９に示すように模型本体１０を股の間に挟んで操作が可能となるように模型本体１０の周囲を囲っていてもよく、図１０に示すように膣形成部材および子宮形成部材と固定台とが一体となっていてもよい。なお、図１０に示す形態の場合は、膣スリットが下方に貫通しておらず、かつ、模型本体１０が左右に折れ曲がることが無い程度の強度を有することが好ましい。この場合、装着方法の説明を記載したものを作成する必要がある。
【００４３】
図１１は、本発明の第１実施形態の図３の模型本体１０を用いてタンポン吸収体４６を押し出した後にアプリケーター４４を模型本体１０から抜き取っている様子を示したものである。
【００４４】
挿入の手順としては、タンポン４２を膣口２２に挿入し、アプリケーター４４からタンポン吸収体４６が押し出され膣２４内に配置される。タンポン吸収体４６は、違和感を感じ難い装着適切位置表示部３４に配置される。なお、膣２４のどの部分でも、タンポン吸収体４６がアプリケーター４４から押し出され、または指で押し入れられた位置で膣２４内に保持されるようになっていることが好ましい。そのため、対象者はタンポン吸収体４６の位置を見て、正しい装着位置にあるかどうかを確認することができる。
【００４５】
［第２実施形態］
本発明の第２実施形態の模型は、衛生用品がタンポンであり、固定台が膣の角度に合わせて傾斜している場合における模型を示す。
【００４６】
図１２および図１３は、固定台を膣の角度に合わせた模型を示す。この場合の固定台の角度は約３０度である。模型本体は、第１実施形態の模型本体１０と同一のものを用いた。また、固定台１８は、中空のプラスチック素材で構成した。なお、固定台１８は、対象者が繰り返し使用可能な程度の強度を有する素材、例えば、ボール紙、プラスチック等からなることが好ましく、これらが折り畳み可能であることが更に好ましい。更に、図１２に示すように、固定台１８は模型本体１０と一体となっていてもよい。
【００４７】
［第３実施形態］
本発明の第３実施形態の模型は、衛生用品が陰唇間パッドである場合を示す。本発明で用いる陰唇間パッドとは、女性の陰唇の内壁の形状に合わせて形状が変化し、経血を吸収する陰唇追従層と、陰唇追従層で吸収した経血を保持するための補完層と、陰唇追従層と補完層とを固定するためのシートと、からなるものをいう。
【００４８】
図１４は、陰唇間パッドを装着するための模型本体１０と、これを固定するための固定台１８と、からなる模型を示している。図８と同様に模型本体１０はウレタンフォームから構成され、固定台１８の略中央に固定されている。対象者は、陰唇間パッドを装着するための適切な位置を確認することが可能となる。
【００４９】
［第４実施形態］
本発明の第４実施形態の模型は、衛生用品が避妊具である場合を示す。本発明で用いる避妊具とは、男性用であるか女性用であるかを問わない。男性用の避妊具とは、コンドームをいい、コンドームとは、性交の際に避妊あるいは性病予防のために、陰茎にかぶせる薄いゴム製の袋のことをいう。女性用の避妊具とは、ペッサリーをいい、ペッサリーとは、膣内に装着する薄いゴム製の袋のことをいう。
【００５０】
図１５は、避妊具がコンドームである場合の模型本体１０とこれを固定するための固定台１８と、からなる模型を示している。模型本体１０はシリコンから構成され、固定台１８の略中央に固定されている。また、図１６に示すように模型本体１０の陰茎に相当する部分は、起立式になっている。
【産業上の利用可能性】
【００５１】
本発明は、衛生用品の装着を説明するための説明用具および練習用具として使用することができる。
【図面の簡単な説明】
【００５２】
【図１】本発明の第１実施形態における模型本体の正面図である。
【図２】本発明の第１実施形態における模型本体の正面図である。
【図３】本発明の第１実施形態における模型本体の断面図である。
【図４】本発明の第１実施形態における模型本体の断面図である。
【図５】本発明の第１実施形態における模型本体の断面図である。
【図６】本発明の第１実施形態における模型本体の断面図である。
【図７】本発明の第１実施形態における模型の正面図である。
【図８】本発明の第１実施形態における模型の正面図である。
【図９】本発明の第１実施形態における模型の断面図である。
【図１０】本発明の第１実施形態における模型の断面図である。
【図１１】本発明の第１実施形態における模型の正面図である。
【図１２】本発明の第２実施形態における模型の断面図である。
【図１３】本発明の第２実施形態における模型の断面図である。
【図１４】本発明の第３実施形態における模型の正面図である。
【図１５】本発明の第４実施形態における模型の正面図である。
【図１６】本発明の第４実施形態における模型の正面斜視図である。
【符号の説明】
【００５３】
１０    模型本体
１２Ａ，１２Ｂ  膣形成部材
１３    膣壁構築部分
１４    子宮形成部材
１５    被覆部
１６    タンポン導入部
１８    固定台
２２    膣口
２４    膣
２５    膣腔部
３２    装着不適切位置表示部
３４    装着適切位置表示部
３６    装着方向表示部
３８    装着位置表示部
４２    タンポン
４４    アプリケーター
４６    タンポン吸収体
【図１】
0004612293.tif 000002
【図２】
0004612293.tif 000003
【図３】
0004612293.tif 000004
【図４】
0004612293.tif 000005
【図５】
0004612293.tif 000006
【図６】
0004612293.tif 000007
【図７】
0004612293.tif 000008
【図８】
0004612293.tif 000009
【図９】
0004612293.tif 000010
【図１０】
0004612293.tif 000011
【図１１】
0004612293.tif 000012
【図１２】
0004612293.tif 000013
【図１３】
0004612293.tif 000014
【図１４】
0004612293.tif 000015
【図１５】
0004612293.tif 000016
【図１６】
0004612293.tif 000017